(57)【要約】      （修正有）【課題】オペレータの作業負担を軽減することができる紙葉類処理方法及び紙葉類処理システムを提供する。【解決手段】実施形態の紙葉類処理方法は、複数のステップを持つ。一のステップは、施封帯２の持ち込み元情報５を読み取る。一のステップは、仕切りカード３の識別情報４を読み取る。一のステップは、持ち込み元情報と仕切りカードの識別情報を紐づけてデータベース４０に記録する。一のステップは、紙葉類を仕切りカードとともに一枚ずつ送り出す。一のステップは、排除券であるか否かを判別する。一のステップは、排除券である紙葉類とそれに対応する仕切りカードを取り出す。一のステップは、排除券とともに取り出される仕切りカードの識別情報に基づいて持ち込み元情報をデータベースから抽出する。【選択図】図１
2016071579.tif 000002
【特許請求の範囲】
【請求項１】
複数の紙葉類を任意の処理単位毎に束ねる施封帯に表示された持ち込み元情報を読み取るステップと、
前記施封帯に束ねられた任意の処理単位の紙葉類とともに処理される仕切りカードの識別情報を読み取るステップと、
読み取った前記施封帯の持ち込み元情報と前記仕切りカードの識別情報とを紐づけてデータベースに記録するステップと、
前記施封帯を解いた任意の処理単位の紙葉類の末尾に前記仕切りカードを入れ、前記任意の処理単位の紙葉類を前記仕切りカードとともに一枚ずつ送り出すステップと、
一枚ずつ送られてきた紙葉類と前記仕切りカードとが、所定の条件を満たさない排除券であるか否かを判別するステップと、
前記排除券である前記紙葉類とそれに対応する前記仕切りカードとを取り出すステップと、
前記排除券とともに取り出される前記仕切りカードの識別情報を読み取るステップと、
読み取った前記仕切りカードの識別情報に基づいて、対応する前記施封帯の持ち込み元情報を前記データベースから抽出するステップと、
を備えている紙葉類処理方法。
【請求項２】
前記データベースに記録する前記仕切りカードの識別情報は、前記施封帯に表示された持ち込み元情報を読み取る際に併せて読み取る請求項１に記載の紙葉類処理方法。
【請求項３】
複数の紙葉類を任意の処理単位毎に束ねる施封帯に表示された持ち込み元情報を読み取る帯情報読み取り装置と、
前記施封帯に束ねられた任意の処理単位の紙葉類とともに処理される仕切りカードの識別情報を読み取る第１のカード情報読み取り装置と、
前記帯情報読み取り装置で読み取った前記施封帯の持ち込み元情報と前記第１のカード情報読み取り装置で読み取った前記仕切りカードの識別情報とを紐づけて記録するデータベースと、
前記施封帯を解いた前記処理単位の紙葉類の末尾に前記仕切りカードが入れられ、前記処理単位の紙葉類を前記仕切りカードとともに一枚ずつ送り出す搬送機構と、
前記搬送機構から送られてきた前記紙葉類と前記仕切りカードとを、所定の条件を満たさない排除券であるか否かを判別する判別装置と、
前記判別装置によって前記紙葉類が前記排除券であると判別されたときに、その紙葉類を対応する前記仕切りカードとともに取り出す排除券取り出し部と、
前記排除券取り出し部から取り出される前記仕切りカードの識別情報を読み取る第２のカード情報読み取り装置と、
を備え、
前記排除券取り出し部から前記紙葉類が前記排除券として取り出されたときに、前記第２のカード情報読み取り装置によって読み取った前記仕切りカードの識別情報に基づいて、対応する前記施封帯の持ち込み元情報を前記データベースから抽出する紙葉類処理システム。
【請求項４】
第１のカード情報読み取り装置は、前記帯情報読み取り装置が共用される請求項３に記載の紙葉類処理システム。
【請求項５】
前記帯情報読み取り装置は、前記施封帯の持ち込み元情報と前記仕切りカードの識別情報を併せて撮像する撮像装置を有する請求項４に記載の紙葉類処理システム。
【発明の詳細な説明】
【技術分野】
【０００１】
本発明の実施形態は、紙葉類処理方法及び紙葉類処理システムに関する。
【背景技術】
【０００２】
投入された紙幣を種類や状態等に応じて集積部に振り分けるとともに、投入された紙幣の合計金額を計数する紙葉類処理装置がある。紙葉類処理装置は、複数の紙幣（紙葉類）が投入される投入部と、投入部に投入された紙幣を一枚ずつ送り出す搬送機構と、搬送機構から送られてきた紙幣を一枚ずつ検査し、紙幣の種類や損券、偽券等を判別する判別装置と、判別装置で判別された紙幣を振り分けて集積する複数の集積部と、を備えている。各集積部に集積される紙幣は計数され、その結果はオペレータによる手入力や自動入力によって集計装置に入力される。
【０００３】
ところで、比較的少量の紙幣を扱う中・小型の紙葉類処理装置においては、個々に識別番号を有する仕切りカードが各処理単位の紙幣の末尾や先頭に重ねて投入部に投入されることがある。仕切りカードは、紙幣とともに紙葉類処理装置に投入する前段階の処理として、仕切りカードの識別番号と口座番号や金額等の入金情報とを紐づけてデータベースに記録される。このデータベースに対する記録はオペレータによる手入力によって行われる。
上記の仕切りカードが各処理単位の紙幣とともに紙葉類処理装置に投入されると、例えば、投入された紙幣の何枚かが判別装置で偽券と判別されたときや、計数された紙幣に過不足が生じたとき等に、仕切りカードの識別情報を基にしてデータベースから口座番号等の入金情報を確認することができる。
【０００４】
ところが、仕切りカードに対する入金情報の事前入力は、多くの時間を要する煩雑な作業であり、特に、大量の紙幣を扱う大型の紙葉類処理装置においては、オペレータの作業負担が大きかった。
【先行技術文献】
【特許文献】
【０００５】
【特許文献１】特許第５０６００１９号公報
【発明の概要】
【発明が解決しようとする課題】
【０００６】
本発明が解決しようとする課題は、オペレータの作業負担を軽減することができる紙葉類処理方法及び紙葉類処理システムを提供することである。
【課題を解決するための手段】
【０００７】
実施形態の紙葉類処理方法は、複数のステップを持つ。一のステップは、施封帯の持ち込み元情報を読み取る。一のステップは、仕切りカードの識別情報を読み取る。一のステップは、持ち込み元情報と仕切りカードの識別情報を紐づけてデータベースに記録する。一のステップは、紙葉類を仕切りカードとともに一枚ずつ送り出す。一のステップは、排除券であるか否かを判別する。一のステップは、排除券である紙葉類とそれに対応する仕切りカードを取り出す。一のステップは、排除券とともに取り出される仕切りカードの識別情報に基づいて持ち込み元情報をデータベースから抽出する。
【図面の簡単な説明】
【０００８】
【図１】実施形態の紙葉類処理システムの一例を示す概略図。
【図２】実施形態の紙葉類処理システムの前処理の一例を示す図。
【図３】実施形態の紙幣と仕切りカードの配置例を示す図。
【図４】実施形態の紙葉類処理システムの処理の一例を説明するためのフローチャート。
【図５】実施形態の紙葉類処理システムの処理の一例を説明するためのフローチャート。
【図６】実施形態の紙葉類処理システムの処理の一例を説明するためのフローチャート。
【発明を実施するための形態】
【０００９】
以下、実施形態の紙葉類処理方法及び紙葉類処理システムを、図面を参照して説明する。
図１は、本実施形態に係る紙葉類処理システム１の一例を示す図である。本実施形態に係る紙葉類処理システム１は、前処理部１０と、紙葉類処理装置２０と、集計装置３０と、データベース４０と、を備える。前処理部１０は、カメラ等の撮像装置１１を有している。紙葉類処理システム１は集計装置３０に接続され、前処理部１０と集計装置３０はデータベース４０に接続されている。本実施形態に係る紙葉類処理システム１は、紙葉類として例えば紙幣Ｐを処理する。以下、実施形態では、紙幣Ｐを取り扱う例について説明する。
【００１０】
前処理部１０による処理は、紙葉類処理装置２０による処理よりも前に行われる処理である。前処理部１０には、施封帯２によって任意の処理単位毎（例えば、１００枚毎）に束ねられた複数の紙幣把Ｈが届けられる。前処理部１０では、紙幣把Ｈを一つずつ取り出して処理が行われる。紙幣把Ｈを束ねる施封帯２の表面には、入金者、入金日、口座番号、入金額等の持ち込み元情報５が表示されている。
【００１１】
前処理部１０においては、取り出した紙幣把Ｈに仕切りカード３を各一つずつ対応させて処理が行われる。仕切りカード３は、紙幣Ｐとほぼ同形状、同サイズのカードであり、その表面には、各仕切りカード３毎に異なる識別番号やバーコード等の識別情報４が表示されている。
【００１２】
図２は、前処理部１０での処理の概略を示す図である。
前処理部１０においては、例えば、図２（Ａ）に示すように、把持装置のアーム１２によって仕切りカード３を把持し、その仕切りカード３を、例えば、表面の識別情報４が紙幣把Ｈの施封帯２の持ち込み元情報５と横並びに並ぶようにして、紙幣把Ｈの上部に配置する。
【００１３】
こうして、図２（Ｂ）に示すように、施封帯２の識別情報４と仕切りカード３の持ち込み元情報５が撮像装置１１の撮像領域ｆに配置されると、その時点で識別情報４と持ち込み元情報５が併せて撮像装置１１によって撮像される。こうして、撮像された識別情報４と持ち込み元情報５は、相互に紐づけられてデータベース４０に記録される。撮像画像は、例えば、光学式文字読取装置（ＯＣＲ）によって識別情報４と持ち込み元情報５とに分けて読み取られ、相互に紐づけられたかたちでデータベース４０に記録される。
なお、本実施形態においては、撮像装置１１と光学式文字読取装置（ＯＣＲ）が帯情報読み取り装置と第１のカード情報読み取り装置とを構成している。
【００１４】
前処理部１０では、この後、図２（Ｃ）に示すように、紙幣把Ｈの施封帯２が解かれ、さらにその後に、図２（Ｄ）に示すように、仕切りカード３がアーム１２によって最上部の紙幣Ｐの上面に載せ置かれる。
こうして、一処理単位の紙幣Ｐと対応する仕切りカード３とが一セットにされる。以下、このセットにされた一処理単位の紙幣Ｐと仕切りカード３を併せて紙葉群Ｇと呼び、異なる紙葉群Ｇを区別する場合には、「紙葉群Ｇ１」，「紙葉群Ｇ２」のように「Ｇ」の次に符号を付すものとする。紙葉群Ｇは、仕切りカード３が一処理単位の紙幣Ｐの末尾に位置されるように紙葉類処理装置２０の投入部２１に投入される。
【００１５】
図３は、複数の紙葉群Ｇ１，Ｇ２，Ｇ３，Ｇ４が紙葉類処理装置２０の投入部２１に連続して投入されるときの紙幣Ｐと仕切りカード３の配列の一例を示す図である。
同図に示すように、仕切りカード３は、自分の属する紙葉群Ｇの末尾に配置され、後続の紙葉類Ｇとの間を仕切るように機能する。
【００１６】
図１に示す紙葉類処理装置２０は、投入部２１と、搬送機構２２と、判別装置２３と、振り分け機構２４と、複数の集積部２５と、図示しない制御部と、を備えている。
投入部２１は、例えば、立位姿勢の紙葉群Ｇを載置する載置トレイ２６と、載置トレイ２６上に載置された紙葉群Ｇを送り出し方向に押圧付勢する押出プレート２７と、紙葉群Ｇの最前部から紙幣Ｐまたは仕切りカード３を一枚ずつ送り出すピックアップローラ２８と、を備えている。
搬送機構２２は、投入部２１から送り出された紙幣Ｐまたは仕切りカード３を搬送ベルト等で挟持して、搬送路の上流側から下流側に向かって搬送する。
【００１７】
判別装置２３は、カメラ等の撮像装置や物理的特性検出手段等の検出部と、検出部の検出結果に基づいて紙幣Ｐや仕切りカード３を判別する判別部と、を備えている。判別装置２３は、具体的には、検出対象物が紙幣Ｐであるか、または仕切りカード３であるかを判別するとともに、紙幣Ｐである場合には、紙幣Ｐの種類（金種）、形状、厚さ、表裏、真偽、正損、２枚取りか否か等を判別する。
【００１８】
ここで、真偽の判別とは、紙幣Ｐのホログラムからの反射光や透かしからの透過光に基づき紙幣Ｐが真券であるか、または偽券であるかを判別する処理である。また、正損の判別とは、撮像された紙幣Ｐの汚損度合から、紙幣Ｐが正券であるか、または損券であるかを判別する処理である。なお、正券とは、汚損度合が基準値よりも低く再流通が可能な紙幣のことをいい、損券とは、汚損度合が基準値よりも高く再流通が不可能な紙幣をいう。
【００１９】
振り分け機構２４は、判別装置２３での判別結果に応じて、紙幣Ｐまたは仕切りカード３をいずれかの集積部２５に搬送する。
【００２０】
集積部２５は、本実施形態の例では６種類用意されており、そのうちの３つは真券かつ正券である紙幣Ｐを種類（金種）に応じて分類して集積する一般集積部２５Ａである。また、集積部２５の他の一つは、真券かつ損券である紙幣Ｐを集積する損券集積部２５Ｂである。
また、集積部２５のうちの残余の２つは、判別装置２３で排除券として判別された紙幣Ｐや仕切りカード３を集積する第１の排除券集積部２５Ｃ１と第２の排除券集積部２５Ｃ２である。なお、本実施形態においては、排除券は、判別装置２３が偽券と判別した紙幣Ｐの他、判別装置２３で判別を行えなかった紙幣Ｐと、仕切りカード３と、を含むものとする。
【００２１】
第１の排除券集積部２５Ｃ１には、一処理単位の紙幣Ｐのうちの少なくとも一枚が判別装置２３で排除券であると判別されたときに、排除券であると判別された紙幣Ｐと、その紙幣Ｐと同じ紙葉群Ｇに属する仕切りカード３が搬送されて集積される。なお、一つの紙葉群Ｇにおいては、仕切りカード３は、同じ紙葉群Ｇに属する一処理単位の紙幣Ｐがすべて送られた後に最後に送られてくる。このため、第１の排除券集積部２５Ｃ１には、排除券であると判別された紙幣Ｐの上にその紙幣Ｐの属する紙葉群Ｇの仕切りカード３が載せ置かれる。また、本実施形態においては、第１の排除券集積部２５Ｃ１が排除券取り出し部を構成している。
【００２２】
一方、第２の排除券集積部２５Ｃ２には、一処理単位のすべての紙幣Ｐが判別装置２３で排除券でないと判別されたときに、すべてが排除券でないと判別された処理単位の紙幣Ｐと同じ紙葉群Ｇに属する仕切りカード３が搬送されて集積される。したがって、第２の排除券集積部２５Ｃ２には仕切りカード３が集積される。
【００２３】
振り分け機構２４の各集積部２５に連なる振り分け部には、通過する紙幣Ｐを計数する図示しない計数装置が設置されている。また、振り分け機構２４のうちの、第１の排除券集積部２５Ｃ１に連なる振り分け部には、第１の排除券集積部２５Ｃ１に搬送される仕切りカード３の識別情報４を読み取る第２のカード情報読み取り装置２９が設置されている。第２のカード情報読み取り装置２９としては、例えば、光学式文字読取装置（ＯＣＲ）が採用される。計数装置での計数情報と、第２のカード情報読み取り装置２９の検出情報は、紙葉類処理装置２０の図示しない制御部に入力される。紙葉類処理装置２０の制御部に入力された情報は集計装置３０に適宜出力される。
【００２４】
集計装置３０は、例えば、一まとまりの紙幣Ｐが紙葉類処理装置２０によって処理されると、振り分け機構２４で計数された紙幣Ｐの数を基にして、紙幣Ｐの総額を集計する。このとき、第１の排除券集積部２５Ｃ１に排除券である紙幣Ｐがある場合には、オペレータが排除券である紙幣Ｐと対応する仕切りカード３とを第１の排除券集積部２５Ｃ１から取り出し、その紙幣Ｐを確認する。このとき紙幣Ｐが真券であってオペレータが金種等を確認できた場合には、その紙幣の金額（金種×枚数）をオペレータが集計装置３０に入力する。
【００２５】
集計装置３０では、第１の排除券集積部２５Ｃ１に排除券である紙幣Ｐが搬送された場合には、データベース４０に照会して紙葉類処理装置２０に投入された紙幣Ｐの事前情報（金額）と、排除券である紙幣Ｐの属する処理単位の集計結果が一致するか否かを確認することができる。また、第１の排除券集積部２５Ｃ１から偽券が発見されたり、その他の理由によって集計結果と事前情報とが一致しない場合には、第１の排除券集積部２５Ｃ１から取り出された仕切りカード３の識別情報４を基にして、その仕切りカード３の属する紙葉群Ｇの持ち込み元情報をデータベース４０から抽出することができる。これにより、偽券の混入や過不足のあった紙幣把Ｈの持ち込み元を即時に特定することができる。
【００２６】
図４〜図６は、本実施形態の紙葉類処理システム１を用いた紙幣Ｐの処理の一例を示すフローチャートである。
以下、これらのフローチャートを参照して、紙葉類処理システム１の処理について説明する。
【００２７】
最初に、前処理部１０において、施封帯２によって束ねられた任意の処理単位の紙幣把Ｈと、任意の仕切りカード３を取り出し（ステップＳ１０１，ステップＳ１０２）、その仕切りカード３の識別情報４と施封帯２の持ち込み元情報５とを併せて撮像装置１１によって撮像する（ステップＳ１０３）。
【００２８】
こうして、撮像された仕切りカード３の識別情報４と施封帯２の持ち込み元情報５とは光学式文字読取装置（ＯＣＲ）によって読み取られ、相互に紐づけられた情報としてデータベース４０に記録される（ステップＳ１０４）。
【００２９】
この後、紙幣把Ｈの施封帯２が解かれ、一処理単位の紙幣Ｐの上部に対応する仕切りカード３が重ねられ、その状態で紙葉群Ｇとして紙葉類処理装置２０に投入される（ステップＳ１０５）。このとき、仕切りカード３は紙葉群Ｇの末尾に配置される。
【００３０】
紙葉類処理装置２０においては、紙葉群Ｇが投入部２１に投入されて一処理単位の紙幣Ｐと仕切りカード３が搬送機構２２によって一枚ずつ判別装置２３に送られると、判別装置２３の検出部で検出対象物が検出される（ステップＳ２０１）。
判別装置２３では、送られてきた検出対象物が仕切りカード３であるか否かを判別し（ステップＳ２０２）、仕切りカード３でなく紙幣Ｐであると判別したときには、さらにその紙幣Ｐが排除券であるあるか否かを判別する（ステップＳ２０３）。
【００３１】
判別装置２３において、検出した紙幣Ｐが排除券ではないと判別した場合には、振り分け機構２４を通して紙幣Ｐを一般集積部２５Ａと損券集積部２５Ｂのいずれかに搬送する（ステップＳ２０６）。このとき、振り分け機構２４の振り分け部を通過する際等に一般集積部２５Ａや損券集積部２５Ｂに集積される紙幣が計数される（ステップＳ２０７）。
また、判別装置２３において、検出した紙幣Ｐが排除券であると判別した場合には、振り分け機構２４を通して紙幣Ｐを第１の排除券集積部２５Ｃ１に搬送する（ステップＳ２０５）。
この後、紙葉類処理装置２０では、所定の終了条件を満たすか否かが判断され、終了条件を満たす場合には処理を終了し、終了条件を満たさない場合には同様の処理を繰り返する（ステップＳ２０８）。
【００３２】
一方、判別装置２３において、検出対象物が仕切りカード３であると判別した場合には、その仕切りカード３の属する紙葉群Ｇに紙幣Ｐの排除券があったか否かを判定する（ステップＳ２０４）。このとき、紙幣Ｐの排除券があった場合には、振り分け機構２４を通して仕切りカード３を第１の排除券集積部２５Ｃ１に搬送する（ステップＳ２１０）。また、紙幣Ｐの排除券がなかった場合には、振り分け機構２４を通して仕切りカード３を第２の排除券集積部２５Ｃ２に搬送する（ステップＳ２１１）。
【００３３】
紙葉類処理装置２０では、以上の処理の流れにより、一般集積部２５Ａと損券集積部２５Ｂに振り分けられた紙幣Ｐは自動的に計数される。また、第１の排除券集積部２５Ｃ１には排除券である紙幣Ｐと対応する仕切りカード３が集積され、第２の排除券集積部２５Ｃ２には、排除券の発生のなかった紙葉群Ｇの仕切りカード３が集積される。
【００３４】
また、紙葉類処理装置２０において、第１の排除券集積部２５Ｃ１に集積された排除券である紙幣Ｐと仕切りカード３とは、所定数の紙幣Ｐの処理が終了した後にオペレータによって取り出される。そして、取り出された排除券である紙幣Ｐは、機械処理やオペレータによる目視等によって再確認される。このとき、オペレータによって紙幣Ｐが真券であることと、その金種等を確認できた場合には、その紙幣Ｐの金額をオペレータが集計装置３０に入力する。そして、集計装置３０では、データベース４０に照会して紙葉類処理装置２０に投入された紙幣Ｐの事前金額情報と、集計結果とが一致するか否かを確認する。
【００３５】
第１の排除券集積部２５Ｃ１から取り出された紙幣Ｐが偽券の疑いがある場合と、集計結果とデータベース４０の事前金額情報とが不一致である場合（金額の過不足がある場合）には、データベース４０に照会して紙幣Ｐの持ち込み元情報を抽出する（ステップＳ３０１〜ステップＳ３０３）。具体的には、第２のカード情報読み取り装置２９で読み取った第１の排除券集積部２５Ｃ１内の仕切りカード３の識別情報４を基にし、その識別情報４に紐づけられている持ち込み元情報５をデータベース４０から抽出する。
【００３６】
なお、以上では、第１の排除券集積部２５Ｃ１に集積された紙幣Ｐと仕切りカード３をオペレータが取り出して確認を行った後に、データベース４０で持ち込み元情報５を抽出する例について説明した。しかし、仕切りカード３が第１の排除券集積部２５Ｃ１に搬送されたときに、第２のカード情報読み取り装置２９による仕切りカード３の識別情報４の読み取り結果に基づいて、持ち込み元情報５をデータベース４０から即時に抽出するようにしても良い。
【００３７】
以上のように、本実施形態に係る紙葉類処理システム１と、そのシステムによって実行される紙葉類処理方法によれば、紙葉類処理装置２０に投入する前の前処理をほぼ自動で行うことができるため、オペレータの作業負担を軽減することができる。
【００３８】
即ち、本実施形態においては、前処理の際に、紙葉把Ｈの施封帯２に表示された持ち込み元情報５と、仕切りカード３に表示された識別情報４とを撮像装置１１と光学式文字読取装置（ＯＣＲ）等によって読み取り、両者の情報を紐づけてデータベース４０に記録させる。そして、紙葉類処理装置２０で紙葉群Ｇを処理する際に、ある紙幣Ｐが排除券であると判別されたときには、その紙幣Ｐを対応する仕切りカード３とともに取り出し、その仕切りカード３の識別情報４を読み取って、その識別情報４に対応する持ち込み元情報５をデータベース４０から抽出する。このため、前処理において、オペレータが任意の処理単位の紙幣Ｐを仕切る仕切りカード３と持ち込み元情報５とを紐づけて手作業で入力する作業が不要になり、オペレータの作業負担が大幅に軽減される。
【００３９】
また、本実施形態においては、施封帯２に表示された持ち込み元情報５を撮像装置１１と光学式文字読取装置（ＯＣＲ）等で読み取る際に、仕切りカード３の識別情報４を併せて読み取るようにしている。このため、持ち込み元情報５を読み取るための装置と、仕切りカード３の識別情報を読み取るための装置を別々にシステムに設置する必要がなく、紙葉類処理システム１全体をより小型・簡素化することができる。
特に、本実施形態においては、施封帯２の持ち込み込み情報５と仕切りカード３の識別情報４とをカメラ等の撮像装置１１によって同時に撮像するため、前処理部１０での処理を処理を迅速に進めることができる。
なお、本実施形態においては、持ち込み元情報５を読み取るための装置と、仕切りカード３の識別情報４を読み取るための装置を共用しているが、各装置を別々に設けることも可能である。
【００４０】
また、本実施形態においては、紙葉群Ｇを紙葉類処理装置２０に投入する前に、施封帯２の持ち込み元情報５と、仕切りカード３の識別情報４を読み取って両者の情報を紐づけてデータベース４０に記録させるようにしている。このため、紙葉類処理装置２０の内部において、紙幣Ｐが各集積部２５に振り分けられる前の段階で搬送ジャムが生じた場合にも、一処理単位の紙幣Ｐと対応する仕切りカード３をセットにして取り扱いさえすれば、前後の紙葉群Ｇの入れ替わり等を気にすることなく、容易にジャム解消のための作業を進めることができる。
【００４１】
即ち、本実施形態においては、対応する仕切りカード３が一処理単位の紙幣Ｐの末尾に配置されることによって処理単位の紙幣Ｐと物理的に関係づけられ、仕切りカード３の識別情報４がデータベース４０上で持ち込み元情報５と紐づけられている。このため、処理単位の紙幣Ｐと対応する仕切りカード３をセットにして取り扱いさえすれば、処理単位の紙幣Ｐと持ち込み元情報５とが紐づけられたままとなる。したがって、ジャム解消のための作業時に前後の紙葉群Ｇが入れ替わり、そのままく紙葉類処理装置２０に再投入されることがあっても、仕切りカード３の識別情報４を基にして、データベース４０から持ち込み元情報５を誤りなく注出することができる。
【００４２】
また、本実施形態に係る紙葉類処理システム１においては、判別装置２３で紙幣Ｐが排除券であると判別されたときに、その紙幣Ｐを対応する仕切りカード３とともに集積する第１の排除券集積部２５Ｃ１と、判別装置２３で一処理単位すべての紙幣Ｐが排除券でないと判別されたときに、対応する仕切りカード３を集積する第２の排除券集積部２５Ｃ２とが、それぞれ別に設けられている。
このため、排除券である紙幣Ｐを処理する際に不要な仕切りカード３が同じ集積部２５内に混入することがなく、紙幣Ｐや対応する仕切りカード３の処理を効率良く行うことができる。また、紙幣Ｐとともに振り分けられなかった仕切りカード３は、第２の排除券集積部２５Ｃ２からまとめて取り出し、前処理部１０でそのまま再利用することができる。したがって、仕切りカード３の再利用が容易になる。
【００４３】
以上説明した少なくともひとつの実施形態によれば、紙葉類処理方法及び紙葉類処理システムを持つことにより、オペレータの作業負担を軽減することができる。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１…紙葉類処理システム、２…施封帯、３…仕切りカード、４…識別情報、５…持ち込み元情報、１１…撮像装置、２２…搬送機構、２３…判別装置
【図１】
2016071579.tif 000003
【図２】
2016071579.tif 000004
【図３】
2016071579.tif 000005
【図４】
2016071579.tif 000006
【図５】
2016071579.tif 000007
【図６】
2016071579.tif 000008